(57)【特許請求の範囲】
【請求項１】
引戸の戸先上端部に埋設された偏平なケースと、このケース内において、戸枠に対向するフロント板を貫通してこれに垂直な前後方向に移動可能に案内され、フロント板から突出する方向の前方に付勢された作動杆と、この作動杆の内端において上方に突設され、先端部に延長がフロント板と鋭角で斜交する斜面を形成した制御部と、作動杆の上方において、ケースの側板と平行な平面内で回動できるように支承された係止杆、及びこの係止杆に関し略Ｙ字形をなすように結合され、ケースの上面開口を挿通して引戸上に突出可能な第１及び第２の切替アームと、戸枠の上枠下面に突設され、引戸の開戸時と閉戸時にこれら第１及び第２切替アームと係合する制御突起とを備え、開戸時、制御突起と第１切替アームとの係合により係止杆の先端を後方に移動させ、制御部との係合を介して作動杆を後方に移動させると共に制御部の斜面を係止杆に衝接させ、閉戸時、第２切替アームと制御突起との係合により係止杆と制御部との係合を解いて作動杆を自由にするようにしたことを特徴とする引戸の開戸補助装置。
【請求項２】
上記作動杆の付勢力を、引戸を閉め切った時の引戸の摩擦抵抗より小さく設定した請求項１記載の引戸の開戸補助装置。
【発明の詳細な説明】
【０００１】
【発明の属する技術分野】
この発明は、引戸の開戸補助装置（以下単に開戸補助装置という）に係り、特に、引戸の開戸を容易にした新規な開戸補助装置に関する。
【０００２】
【従来の技術】
近年、引戸の戸先と戸枠との間にパッキン材を設け、閉戸時の衝撃を緩和し、或いは閉鎖状態を安定に保つようにした引戸が提案され、実用されている。
【０００３】
この引戸は、閉扉時、例えば戸先又は戸枠の一方に設けたパッキン材を他方に設けた封止部材に係合、摺接させて封止するように構成されている。
【０００４】
【発明が解決しようとする課題】
しかしながら、かかる引戸は、引戸を開けるとき、戸先におけるパッキン材と封止部材との摩擦係合が解けるまでの間、僅かな行程ではあるが引戸が重くなり使い勝手が悪い、という不都合がある。
【０００５】
そこで、この発明は、引戸の開戸時ばねの力により引戸を開放方向に押動して開戸を容易にする新規な開戸補助装置を提供し、もって引戸の使い勝手を向上させることを目的としている。
【０００６】
【課題を解決するための手段】
上記の目的を達成するため、請求項１に記載の発明は、引戸の戸先上端部に埋設された偏平なケースと、このケース内において、戸枠に対向するフロント板を貫通してこれに垂直な前後方向に移動可能に案内され、フロント板から突出する方向の前方に付勢された作動杆と、この作動杆の内端において上方に突設され、先端部に延長がフロント板と鋭角で斜交する斜面を形成した制御部と、作動杆の上方において、ケースの側板と平行な平面内で回動できるように支承された係止杆、及びこの係止杆に関し略Ｙ字形をなすように結合され、ケースの上面開口を挿通して引戸上に突出可能な第１及び第２の切替アームと、戸枠の上枠下面に突設され、引戸の開戸時と閉戸時にこれら第１及び第２切替アームと係合する制御突起とを備え、開戸時、制御突起と第１切替アームとの係合により係止杆の先端を後方に移動させ、制御部との係合を介して作動杆を後方に移動させると共に制御部の斜面を係止杆に衝接させ、閉戸時、第２切替アームと制御突起との係合により係止杆と制御部との係合を解いて作動杆を自由にするようにしたことを特徴とする。
【０００７】
また、請求項２に記載の発明は、上記作動杆の付勢力を、引戸を閉め切った時の引戸の摩擦抵抗より小さく設定したことを特徴とする。
【０００８】
【実施例】
以下、図面を参照してこの発明について説明する。
図１乃至図３において符号１はケースを示し、このケース１は、引戸２の戸先上端部に埋設された偏平な箱状体である。
【０００９】
このケース１は、例えば図３に示すように、引戸の戸先面に開口した付番しない取付穴に戸枠側から嵌め込まれ、図示しない止めねじにより固定されている。
【００１０】
このケース１内には、図２に示すように、引戸の戸枠３（図３参照）に対向するフロント板４を貫通して、これに垂直な前後方向（図２で左右方向）に移動可能に案内された作動杆５が設けられている。
【００１１】
なお、この作動杆５の案内装置は、例えば図２に示す作動杆５の裏面側に突設された図示しないガイドピンとケース１の側板に前後方向に開口したガイド溝との係合、及びフロント板４における作動杆５用の開口で構成することができる。
【００１２】
図示の実施例における作動杆５は、横断面形状が矩形の細長いブロック体で、その前端部が半円形に成形されている。
【００１３】
そして、この作動杆５の後端面（フロント板４から見て内端面）から前端部にかけて形成された空洞部には、圧縮コイルばねとしてのプッシュばね６が弾装されている。
【００１４】
このプッシュばねの弾力は、図２に実線で示すように作動杆５がケース１内に押込まれた状態で、例えばパッキン材による引戸の係止力（摩擦力）よりやや小さく設定する。
【００１５】
また、作動杆５の内端には、ケース１の側板に平行な上方に延伸する制御部７が一体に形成されており、この制御部７の先端部（上端部）には、延長がフロント板４と鋭角（例えば４５度）で斜交する斜面８が形成されている。
【００１６】
一方、作動杆５の上方における近傍に係止杆９が配設されており、この係止杆９はケース１の側板と平行な平面内で、一対のストッパー１０、１０の間で回動できるように支承されている。
【００１７】
この係止杆９には、全体の形状が略Ｙ字形をなすような態様で、第１及び第２切替アーム１１、１２が一体に結合されており、これら第１及び第２切替アーム１１、１２は、ケース１の上面に形成された上面開口１３を挿通して引戸２上に突出可能な長さを有している。
【００１８】
他方、これらの切替アーム１１、１２に対応して、引戸の戸先に対向する戸枠付近における上枠１４の下面には、図１及び図２に示すように、制御突起としての制御ローラー１５が引戸面に垂直な回転軸の回りを回動可能に設けられている。
【００１９】
そして、第１切替アーム１１の長さ、すなわちその回動軸と先端との距離及び係止杆９に対する関係角度は、開戸時、図４乃至図６に示すように、制御ローラー１５との係合によって係止杆９の先端を後方に移動させ、制御部９との係合を介して作動杆５を後方に移動させると共に、制御部の斜面８を係止杆９の先端に衝接させることができるように設定されている。
【００２０】
また、第２切替アーム１２の長さ及び係止杆９に対する関係角度は、図６乃至図８に示すように、閉戸時、第２切替アーム１２と制御ローラー１５との係合により、係止杆９と制御部７との係合を解いて作動杆５を自由にできるように設定されている。
【００２１】
上記のように構成されたこの発明の一実施例による開戸補助装置は、引戸が開き始めの状態では、図４に示すように、作動杆５はプッシュばね６の弾力によってフロント板４から突出した状態にあり、その制御部７が係止杆９を介して前方のストッパー１０に係止されている。
【００２２】
この状態で引戸を更に開けると、図５に示すように、ケース１が制御ローラー１５に対して相対的に右方に移動し、その上面から突出した第１切替アーム１１が制御ローラー１５に当接し、以後ケース１の更なる移動により第１切替アーム１１は反時計方向に駆動される。
【００２３】
この第１切替アーム１１の回動により、これと一体の係止杆９が、制御部７を介して作動杆５をケース１内に押込む方向に駆動する。
【００２４】
そして、所定の距離ケース１が移動すると、図６に示すように、係止杆９の先端が制御部７の斜面８に乗り上がり、同時に係止杆９は後方のストッパー１０に当接して停止する。
【００２５】
この状態では、プッシュばね６の弾力は制御部７の斜面８と係止杆９との係合を介して係止杆９の回動軸に担持され、その状態はケース１が更に右方に移動して第１切替アーム１１と制御ローラー１５との係合が解けても変らない。
【００２６】
閉戸時には、図７に示すように、第２切替アーム１２が先に制御ローラー１５に当接し、第２切替アーム１２は時計方向に回動する方向に駆動される。
【００２７】
そして、ケース１が閉戸方向、すなわち図７で更に左方に移動すると、図８に示すように、係止杆９と制御部７との係合が解け、作動杆５は自由になるが、すぐにその先端が戸枠３に当接し（図３参照）、図２に示すように、作動杆５がケース１内に押込まれた状態で引戸が閉鎖される。
【００２８】
前記したようにプッシュばね６の弾力は引戸と戸枠との摩擦係合力より小さいものとしたから、作動杆５が自由であってもプッシュばね６の弾力だけで引戸が開くことはなく、引戸閉鎖中図２に示す状態が安定に保たれる。
【００２９】
引戸を開けるときには、図示しない錠前を解錠し、引戸２を開放方向に押すと、その引戸を押す力とプッシュばね６の弾力の和が引戸と戸枠との摩擦係合力を越えたとき引戸が開き始め、図４に示す状態となり、以降、引戸の開閉に伴い前記した作動を繰り返す。
【００３０】
【発明の効果】
以上の説明から明らかなように、この発明は、引戸の戸先上端部に設けたケース内に戸枠方向に付勢された作動杆を前後方向に移動可能に設け、引戸を開くときこの作動杆が戸枠方向に突出する力を開戸に利用するので、開戸時引戸が重くなる不都合を解消することができ、引戸の使い勝手が向上する、という所期の効果を奏する。
【図面の簡単な説明】
【図１】この発明の一実施例による開戸補助装置の正面図。
【図２】その一部断面側面図で引戸閉鎖状態を示す。
【図３】その平面図。
【図４】図２と同様の一部断面側面図で、引戸が開き始めた直後を示す。
【図５】図４と同様の一部断面側面図で、第１切替アームが制御ローラーに係合し始めた状態を示す。
【図６】図４と同様の一部断面側面図で、第１切替アームと制御ローラーとの係合が解け、作動杆がケース内に押込まれた状態を示す。
【図７】図４と同様の一部断面側面図で、第２切替アームが制御ローラーに係合し始めた状態を示す。
【図８】図４と同様の一部断面側面図で、第２切替アームと制御ローラーとの係合が解け、作動杆が自由になった状態を示す。
【符号の説明】
１  ケース
２  引戸
３  戸枠
４  フロント板
５  作動杆
６  プッシュばね
７  制御部
８  斜面
９  係止杆
１１  第１切替アーム
１２  第２切替アーム
１３  上面開口
１４  上枠
１５  制御ローラー
【図１】
0004020542.tif 000002
【図２】
0004020542.tif 000003
【図３】
0004020542.tif 000004
【図４】
0004020542.tif 000005
【図５】
0004020542.tif 000006
【図６】
0004020542.tif 000007
【図７】
0004020542.tif 000008
【図８】
0004020542.tif 000009